(57)【要約】【課題】カラー陰極線管のフロントパネルのパネル面に蛍光体ストライプ及び黒色無反射層を形成する際に、露光時に生じるアパーチャグリルの熱膨張によるスリットの変位に起因して、画面左右領域間に蛍光体ストライプ並びのアンバランスが生じる問題があった。【解決手段】載置するフロントパネル組立体５５の、アパーチャグリル６１の位置調整手段であるバイメタル構造を有する支持構体６８の近傍に加熱装置２をそれぞれ配置し、露光と共に支持構体６８の所定部分を加熱することによってアパーチャグリル６１の位置をパネル面側に変位させ、アパーチャグリル６１の熱膨張によるスリットの変位分を補償する。【選択図】　　　　図１
2004111062.tif 000002
【特許請求の範囲】
【請求項１】
パネル面の内側に感光剤を塗布したカラー陰極線管のフロントパネルと、前記パネル面に近接配置されたアパーチャグリルと、バイメタル効果によって、温度上昇に伴って前記アパーチャグリルを前記パネル面に接近させる位置調整手段とを有するフロントパネル組立体を載置し、前記パネル面の所定の領域を露光するカラー陰極線管の露光装置において、
該露光装置の内部に配置され、載置される前記フロントパネル組立体の前記アパーチャグリルに形成されたスリットの配列方向に沿って設定される複数の発光位置から前記アパーチャグリルに向けて露光光を照射可能な発光手段と、
載置される前記フロントパネル組立体の前記位置調整手段を加熱可能な加熱装置と、
該加熱装置の加熱動作を制御する制御装置と
を有し、
前記発光手段による露光と共に、前記加熱装置を加熱動作させることを特徴とするカラー陰極線管の露光装置。
【請求項２】
前記発光手段によって、前記複数の発光位置から択一的に順次露光光を照射すると共に、この間前記加熱装置を加熱動作させることを特徴とする請求項１記載のカラー陰極線管の露光装置。
【請求項３】
前記位置調整手段は、前記アパーチャグリルを保持して前記フロントパネルに装着されるフレームに配設され、
該フレームに固定された板状の金属プレートと、該金属プレートによって一端が保持され、他端部が前記フロントパネルと係合して保持される取付けスプリングとを有し、
前記加熱装置が前記金属プレートを加熱するように構成したことを特徴とする請求項１記載のカラー陰極線管の露光装置。
【請求項４】
前記位置調整手段は、前記アパーチャグリルを保持して前記フロントパネルに装着されるフレームに配設され、
該フレームに固定された板状の金属プレートと、該金属プレートによって一端が保持され、他端部が前記フロントパネルと係合して保持される取付けスプリングとを有し、
前記加熱装置が前記取付けスプリングを加熱するように構成したことを特徴とする請求項１記載のカラー陰極線管の露光装置。
【請求項５】
前記位置調整手段は、
前記アパーチャグリルを保持して前記フロントパネルに装着されるフレームと、
該フレームに固定された高膨張プレートと
を有し、
前記加熱装置が前記高膨張プレートを加熱するように構成したことを特徴とする請求項１記載のカラー陰極線管の露光装置。
【請求項６】
パネル面の内側に感光剤を塗布したカラー陰極線管のフロントパネルと、前記パネル面に近接配置されたアパーチャグリルと、バイメタル効果によって、温度上昇に伴って前記アパーチャグリルを前記パネル面に接近させる位置調整手段とを有するフロントパネル組立体を載置し、前記パネル面の所定の領域を露光するカラー陰極線管の露光方法であって、
前記パネル面の所定の領域の露光と共に前記位置調整手段を加熱することを特徴とするカラー陰極線管の露光方法。
【請求項７】
前記位置調整手段は、前記アパーチャグリルを保持して前記フロントパネルに装着されるフレームに配設され、
該フレームに固定された板状の金属プレートと、該金属プレートによって一端が保持され、他端部が前記フロントパネルと係合して保持される取付けスプリングとを有し、
前記金属プレートを加熱することを特徴とする請求項６記載のカラー陰極線管の露光方法。
【請求項８】
前記位置調整手段は、前記アパーチャグリルを保持して前記フロントパネルに装着されるフレームに配設され、
該フレームに固定された板状の金属プレートと、該金属プレートによって一端が保持され、他端部が前記フロントパネルと係合して保持される取付けスプリングとを有し、
前記取付けスプリングを加熱することを特徴とする請求項６記載のカラー陰極線管の露光方法。
【請求項９】
前記位置調整手段は、
前記アパーチャグリルを保持して前記フロントパネルに装着されるフレームと、
該フレームに固定された高膨張プレートと
を有し、
前記高膨張プレートを加熱することを特徴とする請求項６記載のカラー陰極線管の露光方法。
【発明の詳細な説明】
【０００１】
【発明の属する技術分野】
本発明は、アパーチャグリル方式のカラー陰極線管のフロントパネルのパネル面に蛍光体ストライプ及び黒色無反射層を形成する際に用いられる露光装置に関し、特に露光時に生じるアパーチャグリルの熱膨張に起因して、画面左右領域間に生じる蛍光体ストライプ並びのアンバランスを軽減できる露光装置に関する。
【０００２】
【従来の技術】
図４は、従来のアパーチャグリル方式の色選別電極構体６０の要部構成を示す外形斜視図である。
【０００３】
同図中、アパーチャグリル６１は、所定の間隔で縞状に複数のスリット６１ｂ（図５（ｂ））を形成して配列した多数の細条グリッド６１ａを有し、その外形が長方形状となっている。フレーム６２は、アパーチャグリル６１の長辺側の両端部を、それぞれ溶接によって固定して保持する一対の弾性枠辺６３，６４と、この一対の弾性枠辺６３，６４を一体的に連結する一対の弾性腕部６５、６６とからなる。
【０００４】
弾性腕部６５、６６は、それぞれ弾性枠辺６３，６４の各左右両端近傍でこれと接続しており、アパーチャグリル６１に、各細条グリッド６１ａの形成方向において、所定の張力を生じさせるための弾性を有する。また、一対の弾性腕部６５、６６には、これらとバイメタル構造を形成する高膨張プレート６７が、各々溶接により固定されている。
【０００５】
弾性枠辺６３，６４、及び弾性腕部６５、６６には、それぞれ外側に向かって支持構体６８が所定位置に配設されている。この支持構体６８は、フレームに固定された板状の金属プレート６９と、この金属プレート６９によって一端が保持され、この金属プレート６９が固定されたフレームと平行な方向に延在して他端部に取付け孔７０ａが形成された取付けスプリング７０とからなる。
【０００６】
これらの支持構体６８は、色選別電極構体６０本体を、フロントパネル５２（図３）及び図示しないファンネルからなるカラー陰極線管のガラスバブル内部に支持固定するための部材で、後述するように取付けスプリング７０の取付け孔７０ａにフロントパネル５２のスカート部内面に形成された係合ピン５２ａ（図３）を挿入することにより、フロントパネル５２によって色選別電極構体６０が支持される。
【０００７】
一方、カラー陰極線管のフロントパネルのパネル面の内側に蛍光体ストライプ及び黒色無反射層を形成する際には、従来、色選別電極であるアパーチャグリル６１（図４）をパターンとした写真印刷の技術が用いられる。
【０００８】
図３は、カラー陰極線管のフロントパネル５２のパネル面５２ｂの内面に蛍光体ストライプ及び黒色無反射層を形成するための従来の露光装置５０の構成を概略的に示す要部断面図である。
【０００９】
同図中、露光装置５０の筐体５１の上面には、所定の大きさの開口５１ａが形成されている。開口５１ａの周辺部には、カラー陰極線管のフロントパネル５２が、その内側の所定位置に前記した色選別電極構体６０を配設した状態で、開口５１ａを覆うように載置される。
【００１０】
尚、後述するように、色選別電極構体６０は、フロントパネル５２のパネル面５２ｂの内面に蛍光体ストライプ及び黒色無反射層を形成する過程で、何度かフロントパネル５２に対して着脱される。いま、図３に示すように、フロントパネル５２に色選別電極構体６０が一体的に組み込まれた状態を以後フロントパネル組立体５５と称す。このとき、色選別電極構体６０は、フロントパネル５２のスカート部５２ｃの内側に形成された係合ピン５２ａが、取付けスプリング７０の取付け孔７０ａ（図４）に挿入するように取付けられてフロントパネル５２に支持されている。
【００１１】
同図中の矢印Ａ，Ｂ方向は、載置されたフロントパネル組立体５５の画面の水平方向、即ちアパーチャグリル６１に形成された細条グリッド６１ａ（図４）の配列方向に相当し、同図中のＺ軸は、露光装置５０に載置されたフロントパネル組立体５５の画面中心と垂直に交差する仮想中心線に相当する。
【００１２】
露光装置５０の筐体５１の内部の所定位置には、光源５３が配設されている。光源５３は、図示しない駆動手段によって矢印Ａ，Ｂ方向に移動され、青（Ｂ）、緑（Ｇ）、赤（Ｒ）の各色の蛍光物質、或いは黒色無反射層を形成するためのマスクをそれぞれ露光するために、Ｐ１，Ｐ２，Ｐ３の各発光位置に移動可能とされている。また、筐体５１内にあって、光源５３と載置されるフロントパネル組立体５５の間には、透過する露光光を屈折して所望の光路に補正するための補正レンズ系５４が配設されている。尚、光源５３及び図示しない駆動手段が発光手段に相当する。
【００１３】
以上の構成において、フロントパネル５２のパネル面５２ｂの内面に黒色無反射層を形成する過程について説明する。
【００１４】
先ず、パネル面５２ｂの内面に感光性材料膜（レジスト）を塗布し、その乾燥後に色選別電極６０を装着してフロントパネル組立体５５の状態とし、図３に示すように露光装置５０の所定位置に載置する。図５（ｂ）は、このときの、光源５３、アパーチャグリル６１、及びパネル面５２ｂの各位置関係を模式的に示した概略説明図である。
【００１５】
この図５（ｂ）に示すように、光源５３より発せられた露光光は、補正レンズ系５４（図３）により屈折され、アパーチャグリル６１のスリット６１ｂを通過した後、フロントパネル５２の内面に塗布された感光性材料膜（レジスト）を露光する。この時、光源５３が、発光位置Ｐ１→Ｐ２→Ｐ３と移動して順次露光するため、各スリット６１ｂを通過した光は、それぞれ順に青色（Ｂ）、緑色（Ｇ）、赤（Ｒ）の各蛍光体ストライプ箇所に相当する位置を露光する。
【００１６】
その後、エッチング、現像処理過程を経て、各色の蛍光体ストライプの間に相当する位置に、グラファイト材で形成されたＢＭ（ブラックマトリクス）或いはガードバンドと呼ばれる黒色無反射層５６が形成される。
【００１７】
図５（ａ）は、あるスリット６１ｂを通過する光によって露光され、パネル面５２ｂの内面に形成された黒色無反射層５６の一部を、画面に垂直な方向からみた構造図である。
【００１８】
このようにして黒色無反射層５６が形成された後、ＳＣ（スラリー・サーキュラー）露光という工程を経て、図５（ａ）に示すように、青色（Ｂ）の蛍光体ストライプ５７ａ、緑色（Ｇ）の蛍光体ストライプ５７ｂ、赤（Ｒ）の蛍光体ストライプ５７ｃがそれぞれ黒色無反射層５６の間に形成され、黒色無反射層５６と共に蛍光面層が形成される。
【００１９】
以上のようにして形成された蛍光面層の、各色の蛍光体ストライプの並び方の特徴を示すＢＭ並び率を以下の式で定める。
ＢＭ並び率＝（３×（ＢＧ＋ＲＧ）／（２×Ｐ））×１００（％）
ここで、図５（ａ）に示すように、
ＢＧは、あるスリット６１ｂに対応する青色（Ｂ）の蛍光体ストライプ５７ａと緑色（Ｇ）の蛍光体ストライプ５７ｂ間の間隔に相当し、
ＲＧは、上記スリット６１ｂに対応する赤色（Ｒ）の蛍光体ストライプ５７ｃと緑色（Ｇ）の蛍光体ストライプ５７ｂ間の間隔に相当し、
Ｐは、隣接するスリットに対応して形成される各蛍光体ストライプとの間隔に相当する。
【００２０】
従って、所定のスリット６１ｂとそれに隣接するスリットに対応して形成されたＲ，Ｇ，Ｂ，Ｒの各蛍光体ストライプの間隔が等しい場合、このＢＭ並び率は１００％となる。また、Ｇストライプを中心としたＲＢの各ストライプの間隔がより狭いときはＢＭ並び率が１００％以下となり、この状態をグルーピングという。逆に、これらの間隔がより広い場合にはＢＭ並び率が１００％以上となり、この状態をデグルーピングという。
【００２１】
ＢＭ並び率がグルーピングの場合、ＧストライプとＲストライプ、及びＧストライプとＢストライプの各ガードバンド幅が狭いため、その間のランディング裕度（電子ビーム照射時に混色が発生しないための裕度）が小さくなる。一方、デグルーピングの場合は、隣接するスリットに対応するストライプとで形成されるＢストライプとＲストライプとの間のランディング裕度が小さくなる。
【００２２】
蛍光面層を設計する際には、このＢＭ並び率を、全画面でＲＧＢ各色間のランディング裕度が等しくなるように１００％とするか、或いはＲＢの混色が視覚的に目立つことを考慮して、若干グルーピングとするのが一般的である。
【００２３】
【特許文献１】
特開昭６２−１７７８３１号公報
【００２４】
【発明が解決しようとする課題】
しかしながら、従来の露光装置では、露光時に、フロントパネルからの後述する輻射熱によってアパーチャグリルの温度が上昇するためにアパーチャグリルの経時的膨張が発生し、ＢＭ並び率が全画面で一定とならず、画面左右でＢＭ並び率のアンバランスが生じる問題があった。この問題点について、以下に詳細に説明する。
【００２５】
図６は、露光装置５０によってフロントパネル組立体５５を露光する際の、各部の変動の様子を説明するための説明図である。同図中のＺ軸は、露光装置５０に載置されたフロントパネル組立体５５の画面中心と垂直に交差する仮想中心線に相当する。
【００２６】
前記したパネル面５２ｂの内面に黒色無反射層を形成する過程において、Ｒ，Ｇ，Ｂ３色の各蛍光体ストライプ箇所に相当する位置を露光する場合、一般に、露光は一色ずつ順次行われる。その間、レジスト反応を高めるために予め温度調整されたフロントパネル５２からの輻射熱がアパーチャグリル６１へと伝播してアパーチャグリル６１が膨張する。そのため、例えばアパーチャグリル６１の端部近傍では、図６に示すようにスリット６１ｂが前記した矢印Ｂ方向（図３）に相当するＸ方向に移動し、光の通過位置がＭ１からＭ２へと変位する。これに伴ってパネル面５２ｂの内面の露光位置もＳ１からＳ２へと移動する。
【００２７】
一方、前記したアパーチャグリル６１の熱膨張によるスリット６１ｂの経時変化は、カラー陰極線管の動作時にも発生する。この時の経時変化は、アパーチャグリル６１への電子ビーム照射により、電子ビームの有するエネルギーの大部分が熱に変換されることによる。この経時変化によって、後述するように所定のスリット６１ｂを通過する電子ビームと、この電子ビームが照射すべき蛍光体ストライプの中心位置との間にズレ（以下、ミスランディングと称す）が発生し、このミスランディングが経時変化する現象が生ずる。
【００２８】
上記したミスランディングの経時変化については、従来、フロントパネル組立体５５に施すことによって、その変化を補正する補正機構が開示されている。図８は、この補正機構の構成を示す要部構成図である。
【００２９】
同図（ａ）は、図４に示す色選別電極構体６０の支持構体６８の近傍を矢印Ｄ方向からみた要部拡大図である。同図に示すように、取付けスプリング７０は、高膨張率の金属７０ｂと低膨張率の金属７０ｃのバイメタル構造に形成されている。このため、色選別電極構体６０の温度上昇に伴って支持構体６８が温度上昇すると、取付けスプリング７０が点線状態から実線状態に湾曲し、アパーチャグリル６１をフロントパネルの５２のパネル面５２ｂに接近させる方向に変位させることができる。
【００３０】
同図（ｂ）は、図４に示す色選別電極構体６０の支持構体６８の近傍を矢印Ｅ方向からみた要部拡大図である。同図に示すように、金属プレート６９は、高膨張率の金属６９ａと低膨張率の金属６９ｂの張り合わせによるバイメタル構造に形成されている。このため、色選別電極構体６０の温度上昇に伴って支持構体６８が温度上昇すると、金属プレート６９が点線状態から実線状態に湾曲し、アパーチャグリル６１をフロントパネルの５２のパネル面５２ｂに接近させる方向に変位させることができる。
【００３１】
更に、同図（ｃ）は、図４に示す色選別電極構体６０全体を矢印Ｅ方向からみた要部構成図である。同図に示すように、高膨張プレート６７と弾性腕部６５との張り合わせ部分がバイメタル構造を形成し、このため、色選別電極構体６０が温度上昇すると、フレーム６２が実線状態から点線状態に湾曲し、アパーチャグリル６１をフロントパネルの５２のパネル面５２ｂに接近させる方向に変位させることができる。
【００３２】
以上のように、フロントパネル組立体５５の取付けスプリング７０、金属プレート６９及び高膨張プレート６７は、何れも色選別電極構体６０の温度上昇と共に、バイメタル効果による湾曲変形によって、アパーチャグリル６１とパネル面５２ｂの内面との間隔Ｑを小さくするように構成されている。
尚、これ等の補正機構である支持構体６８、取付けスプリング７０、金属プレート６９及び高膨張プレート６７は、それぞれ位置調整手段に相当する。
【００３３】
図７は、温度上昇時に間隔Ｑを小さくすることで、前記したミスランディングを抑制する動きを説明するための動作説明図である。
【００３４】
同図に示すように、アパーチャグリル６１の熱膨張によるスリット６１ｂの経時変化は、前記したようにカラー陰極線管の動作時にも発生して光の通過位置がＭ１からＭ２へと変位し、これに伴ってパネル面５２ｂの内面の照射位置もＳ１からＳ２へと移動しようとする。この時、前記したように色選別電極構体６０の温度上昇と共に、バイメタル効果による湾曲変形で、アパーチャグリル６１とフロントパネル５２の蛍光面の間隔Ｑを小さく（Ｑ０→Ｑ１）することで通過位置Ｍの移動を補償し、パネル面５２ｂの内面の照射位置がＳ１から変動するのを防止する。
【００３５】
以上のように、ミスランディングを抑制する補正機構を備えたフロントパネル組立体５５に対して、フロントパネル５２のパネル面５２ｂの内面に黒色無反射層を形成すべく、従来の露光装置５０で露光する場合にも、図６の説明で記述したパネル面５２ｂの内面の露光位置の変動が発生し、これに起因して、画面左右でＢＭ並び率のアンバランスが生じることとなるが、以下にその理由について、図９を参照しながら詳しく説明する。
【００３６】
この時の露光装置５０による露光時に、フロントパネル５２からの輻射熱は、先ずアパーチャグリル６１へ伝導してそのスリット６１ｂをＸ方向（画面の左半部では−Ｘ方向）に変位させるが、この時の露光時間は数十秒程度の比較的短時間であることから、アパーチャグリル６１周辺のフレーム６２（図４）に配設された支持構体６８や高膨張プレート６７による前記したバイメタル機構が働いて、アパーチャグリル６１をＺ軸方向に移動させる前に露光が終了してしまう。この結果、アパーチャグリル６１の熱膨張によるスリット６１ｂのＸ方向の変位のみが支配的になる。
【００３７】
図９（ａ）は、このようにＸ方向の変位が支配的な状況の露光時において、画面の両端近傍に形成される蛍光体ストライプの状態を説明するための説明図である。
【００３８】
この時、光源５３の発光位置を、それぞれ順に青色（Ｂ）、緑色（Ｇ）、赤（Ｒ）の各蛍光体ストライプ箇所に相当する位置を露光すべく、仮にＰ１→Ｐ２→Ｐ３の順に移動して露光したとする。この間、アパーチャグリル６１が熱膨張を続けるため、図９（ａ）に示すように、発光位置Ｐ１で発光した露光光（Ｂ）は、光の通過位置Ｍ５でスリット６１ｂを通過するが、発光位置Ｐ２で発光した露光光（Ｇ）は、光の通過位置Ｍ６でスリット６１ｂを通過し、更に発光位置Ｐ３で発光した露光光（Ｒ）は、光の通過位置Ｍ７でスリット６１ｂを通過することになる。
【００３９】
従って、パネル面５２ｂの内面での各露光光（Ｂ），（Ｇ），（Ｒ）による露光位置は、図の左側に示す画面端部では間隔が広がり、図の右側に示す画面端部では間隔が狭くなる傾向を示す。
【００４０】
図９（ｂ）は、このようにして画面の両端近傍に形成される蛍光体ストライプの一部を画面に垂直な方向からみた概略構造図である。
【００４１】
同図に示すように、アパーチャグリル６１が熱で変動しないと仮定した時のＢＭ並び率に比べ、図の右側となる画面ではグルーピングとなり、図の左側となる画面ではデグルーピングとなることがわかる。
【００４２】
このようなＢＭ並び率のアンバランスは、フロントパネル５２からの輻射熱により生じるアパーチャグリル６１の熱膨張に起因するため、例えば露光順序をＢ→Ｇ→ＲからＧ→Ｂ→Ｒ等に変更しても、方向や程度は変わるものの、現状の装置ではこのアンバランスを抑制することができない。このような、露光時に生じるＢＭ並び率のアンバランスが、前記したランディング裕度を局部的に悪化させる要因となって、カラー陰極線管の画面品位を損なうという問題があった。
【００４３】
本発明の目的は、これ等の問題点を解消し、露光時に生じるＢＭ並び率のアンバランスを抑制できる露光装置を提供することにある。
【００４４】
【課題を解決するための手段】
請求項１のカラー陰極線管の露光装置は、パネル面の内側に感光剤を塗布したカラー陰極線管のフロントパネルと、前記パネル面に近接配置されたアパーチャグリルと、バイメタル効果によって、温度上昇に伴って前記アパーチャグリルを前記パネル面に接近させる位置調整手段とを有するフロントパネル組立体を載置し、前記パネル面の所定の領域を露光するカラー陰極線管の露光装置において、
該露光装置の内部に配置され、載置される前記フロントパネル組立体の前記アパーチャグリルに形成されたスリットの配列方向に沿って設定される複数の発光位置から前記アパーチャグリルに向けて露光光を照射可能な発光手段と、載置される前記フロントパネル組立体の前記位置調整手段を加熱可能な加熱装置と、該加熱装置の加熱動作を制御する制御装置と
を有し、前記発光手段による露光と共に、前記加熱装置を加熱動作させることを特徴とする。
【００４５】
請求項２のカラー陰極線管の露光装置は、請求項１記載のカラー陰極線管の露光装置において、
前記発光手段によって、前記複数の発光位置から択一的に順次露光光を照射すると共に、この間前記加熱装置を加熱動作させることを特徴とする。
【００４６】
請求項３のカラー陰極線管の露光装置は、請求項１記載のカラー陰極線管の露光装置において、
前記位置調整手段が、前記アパーチャグリルを保持して前記フロントパネルに装着されるフレームに配設され、該フレームに固定された板状の金属プレートと、該金属プレートによって一端が保持され、他端部が前記フロントパネルと係合して保持される取付けスプリングとを有し、
前記加熱装置が前記金属プレートを加熱するように構成したことを特徴とする。
【００４７】
請求項４のカラー陰極線管の露光装置は、請求項１記載のカラー陰極線管の露光装置において、
前記位置調整手段が、前記アパーチャグリルを保持して前記フロントパネルに装着されるフレームに配設され、該フレームに固定された板状の金属プレートと、該金属プレートによって一端が保持され、他端部が前記フロントパネルと係合して保持される取付けスプリングとを有し、
前記加熱装置が前記取付けスプリングを加熱するように構成したことを特徴と
【００４８】
請求項５のカラー陰極線管の露光装置は、請求項１記載のカラー陰極線管の露光装置において、
前記位置調整手段が、前記アパーチャグリルを保持して前記フロントパネルに装着されるフレームと、該フレームに固定された高膨張プレートとを有し、
前記加熱装置が前記高膨張プレートを加熱するように構成したことを特徴とする。
【００４９】
請求項６のカラー陰極線管の露光方法は、パネル面の内側に感光剤を塗布したカラー陰極線管のフロントパネルと、前記パネル面に近接配置されたアパーチャグリルと、バイメタル効果によって、温度上昇に伴って前記アパーチャグリルを前記パネル面に接近させる位置調整手段とを有するフロントパネル組立体を載置し、前記パネル面の所定の領域を露光するカラー陰極線管の露光方法であって、
前記パネル面の所定の領域の露光と共に前記位置調整手段を加熱することを特徴とする。
【００５０】
請求項７のカラー陰極線管の露光方法は、請求項６記載のカラー陰極線管の露光方法において、
前記位置調整手段が、前記アパーチャグリルを保持して前記フロントパネルに装着されるフレームに配設され、該フレームに固定された板状の金属プレートと、該金属プレートによって一端が保持され、他端部が前記フロントパネルと係合して保持される取付けスプリングとを有し、
前記金属プレートを加熱することを特徴とする。
【００５１】
請求項８のカラー陰極線管の露光方法は、請求項６記載のカラー陰極線管の露光方法において、
前記位置調整手段は、前記アパーチャグリルを保持して前記フロントパネルに装着されるフレームに配設され、該フレームに固定された板状の金属プレートと、該金属プレートによって一端が保持され、他端部が前記フロントパネルと係合して保持される取付けスプリングとを有し、
前記取付けスプリングを加熱することを特徴とする。
【００５２】
請求項９のカラー陰極線管の露光方法は、請求項６記載のカラー陰極線管の露光方法において、
前記位置調整手段が、前記アパーチャグリルを保持して前記フロントパネルに装着されるフレームと、該フレームに固定された高膨張プレートとを有し、
前記高膨張プレートを加熱することを特徴とする。
【００５３】
【発明の実施の形態】
実施の形態１．
図１は、本発明によるカラー陰極線管の露光装置の実施の形態１の要部構成を模式的に示す斜視図である。
【００５４】
この露光装置１が前記した図３に示す従来の露光装置５０に対して異なる点は、新たに加熱装置２とこれを制御する制御装置３が追加された点である。従って、この露光装置１が前記した図３に示す従来の露光装置５０に対して共通する部分については、同符号を付して、或いは図示せずにそれらの説明を省略し、異なる点のみを重点的に説明する。
【００５５】
図１において、露光台５は、前記した図３に示す露光装置５０の筐体５１の上面に相当するもので、前記した開口５１ａ（図３）を覆う所定位置に、フロントパネル組立体５５が載置される。このフロントパネル組立体５５は、前記したように、フロントパネル５２と色選別電極構体６０とが組み合わされたもので、色選別電極構体６０の支持構体６８の取付けスプリング７０に形成された取付け孔７０ａに、フロントパネル５２のスカート部５２ｃに形成された係合ピン５２ａ（図３）が嵌入して、フロントパネル５２によって色選別電極構体６０が支持されている。
【００５６】
支持構体６８は、一対の、弾性枠辺６３，６４及び弾性腕部６５、６６の各所定位置に１つずつ合計４つ配設され、各取付けスプリング７０に形成された取付け孔７０ａが、フロントパネル５２にそれぞれ対応して配設された各係合ピン５２ａ（図３）と係合する。尚、図１では、煩雑をさけるため、フロントパネル５２は、その外形のみが描かれている。
【００５７】
加熱装置２は、露光台５に載置されるフロントパネル組立体５５の合計４つの支持構体６８の各近傍にそれぞれ配設され、後述する所定のタイミングで支持構体６８の所定箇所を加熱してその部分の温度を上昇させることを可能としている。この加熱装置２としては、例えば、一般に市販される高周波加熱装置の加熱コイルでもよいし、或いはジュール熱を発生させる電極で構成される器具であってもよい。
尚、本実施の形態では、これ等の加熱装置２によって、支持構体６８の金属プレート６９を主に加熱するように設定されている。
【００５８】
制御装置３は、これら４つの加熱装置２の加熱動作を所定のタイミングで行うように制御するもので、以下、この加熱制御の制御方法について説明する。
【００５９】
図２は、本実施の形態１の露光装置１によって、フロントパネル５２のパネル面５２ｂの内面に黒色無反射層を形成する際の、露光動作及び制御装置３によって加熱制御される加熱装置２の加熱動作の各動作タイミングを示すタイミングチャート図である。
【００６０】
同図に示すように、露光は、青色露光によって開始される。ここで言う青色露光とは、前記したように、図３に示す照射位置Ｐ１の場所で光源５３を発光さたて露光光（Ｂ）を露光することを意味する。この青色露光と同時に加熱装置２による加熱が開始される。その後、青色露光を終了し、光源５３を照射位置Ｐ２（図３）に移動して発光させた露光光（Ｇ）を露光する緑色露光を開始する。そしてこの緑色露光を終了し、光源５３を照射位置Ｐ３（図３）に移動して発光させた露光光（Ｒ）を露光する赤色露光を開始し、やがて赤色露光を終了して各露光動作を終了する。尚、この時の露光時間は、前記したように数十秒程度に設定されている。
【００６１】
これらの一連の露光の間、制御装置３は、加熱装置２の加熱動作を続けて支持構体６８の金属プレート６８の温度を上げ続け、図２のタイミングチャート図に示すように露光の終了と同時に加熱動作を終了させる。
【００６２】
この露光の間、アパーチャグリル６１は、前記したようにレジスト反応を高めるために予め温度調整されたフロントパネル５２からの輻射熱によって熱膨張し、図９（ａ）に示すように、スリット６１ｂが光の通過位置Ｍ４からＭ７へ移動するＸ方向（±方向）変位を示す。
【００６３】
一方、この露光の間、加熱装置２によって加熱された金属プレート６９は、前記した図８（ｂ）の説明で述べたように、高膨張率の金属６９ａと低膨張率の金属６９ｂの貼り合わせのバイメタル構造による湾曲変形によって、アパーチャグリル６１を、パネル面５２ｂの内面との間隔Ｑを小さくするＺ軸方向に変位し続ける。
【００６４】
以上のように、スリット６１ｂのＸ方向変位に伴ってアパーチャグリル６１のＺ軸変位を同時に発生させることによって、図９（ｂ）に示す、図の右側となる画面でのグルーピングと、図の左側となる画面でのデグルーピングとを、共に抑制することができる。
【００６５】
尚、この抑制効果は、図７で説明したミスランディングを抑制する動作、即ち、アパーチャグリル６１とパネル面５２ｂの内面の間隔Ｑを小さく（Ｑ０→Ｑ１）することで、アパーチャグリル６１の熱膨張に伴うスリット６１ｂの変位、即ち光の通過位置のＭ１からＭ２への変動分を補償する動作、と同じ作用によって得られる。
【００６６】
以上のように、実施の形態１の露光装置１によれば、露光時に生じるＢＭ並び率のアンバランスを抑制することができるため、前記したランディング裕度を局部的に悪化させることもなく、カラー陰極線管の画面品位を高めることができる。
【００６７】
実施の形態２．
実施の形態１では、図１の露光装置１において、加熱装置２によって、支持構体６８の金属プレート６８を主に加熱するように設定したが、本実施の形態では、支持構体６８の取付けスプリング７０を加熱するように設定している。他の構成は、図１に示す実施の形態１の露光装置１と全く同じである。
【００６８】
この場合、露光の間、加熱装置２によって加熱された取付けスプリング７０は、前記した図８（ａ）の説明で述べたように、高膨張率の金属７０ｂと低膨張率の金属７０ｃの貼り合わせのバイメタル構造による湾曲変形によって、アパーチャグリル６１を、パネル面５２ｂの内面との間隔Ｑを小さくするＺ軸方向に変位し続け、実施の形態１と同様の効果を得ることが出来る。
【００６９】
実施の形態３．
実施の形態１では、図１の露光装置１において、加熱装置２によって、支持構体６８の金属プレート６８を主に加熱するように設定したが、本実施の形態では、フレーム６２（図４）の一対の弾性腕部６５，６６とそれぞれバイメタル構造を形成する高膨張プレート６７を加熱するように設定している。他の構成は、図１に示す実施の形態１の露光装置１と全く同じである。
【００７０】
この場合、露光の間、加熱装置２によって加熱された高膨張プレート６７は、前記した図８（ｃ）の説明で述べたように、高膨張プレート６７と弾性腕部６５の張り合わせのバイメタル構造による湾曲変形によって、アパーチャグリル６１を、パネル面５２ｂの内面との間隔Ｑを小さくするＺ軸方向に変位し続け、実施の形態１と同様の効果を得ることが出来る。
【００７１】
尚、前記した各実施の形態では、加熱装置２をフロントパネル５２の外側に配置して、所定部を遠隔加熱する構成としたが、これに限定されるものではなく、フロントパネルの内側に配置して、所定部に直接触れて加熱するように構成してもよいなど、種々の態様を取り得るものである。
【００７２】
【発明の効果】
請求項１、２の露光装置又は請求項６の露光方法によれば、フロントパネルのパネル面の所定の領域を露光する際に、パネル面からの輻射熱によって、アパーチャグリルが膨張して露光光の通過位置が移動してパネル面の露光位置がずれるのを、位置調整手段の加熱によるアパーチャグリルのパネル面方向への移動によって抑制することが可能となり、画面の左右におけるＢＭ並びのアンバランスを改善することができる。
【００７３】
請求項３の露光装置又は請求項７の露光方法によれば、フロントパネルのパネル面の所定の領域を露光する際に、バイメタル効果を有する金属プレートを加熱するので、請求項１、６と同様の効果を得ることができる。
【００７４】
請求項４の露光装置又は請求項８の露光方法によれば、フロントパネルのパネル面の所定の領域を露光する際に、バイメタル効果を有する取付けスプリングを加熱するので、請求項１、６と同様の効果を得ることができる。
【００７５】
請求項５の露光装置又は請求項９の露光方法によれば、フロントパネルのパネル面の所定の領域を露光する際に、バイメタルを構成する高膨張プレートを加熱するので、請求項１、６と同様の効果を得ることができる。
【図面の簡単な説明】
【図１】本発明によるカラー陰極線管の露光装置の実施の形態１の要部構成を模式的に示す斜視図である。
【図２】露光装置１の露光動作及び加熱動作の各動作タイミングを示すタイミングチャート図である。
【図３】従来の露光装置５０の構成を概略的に示す要部断面図である。
【図４】従来のアパーチャグリル方式の色選別電極構体６０の要部構成を示す外形斜視図である。
【図５】（ａ）はパネル面５２ｂの内面に形成された黒色無反射層５６の一部を画面に垂直な方向からみた構造図であり、（ｂ）は露光装置の光源５３、アパーチャグリル６１、及びパネル面５２ｂの各位置関係を模式的に示した概略説明図である。
【図６】露光装置５０によってフロントパネル組立体５５を露光する際の、各部の変動の様子を説明するための説明図である。
【図７】温度上昇時に、ミスランディングを抑制する動きを説明するための動作説明図である。
【図８】補正機構の構成を示す要部構成図で、（ａ）は図４に示す色選別電極構体６０の支持構体６８の近傍を矢印Ｄ方向からみた要部拡大図、（ｂ）は同支持構体６８の近傍を矢印Ｅ方向からみた要部拡大図、（ｃ）は図４に示す色選別電極構体６０全体を矢印Ｅ方向からみた要部構成図である。
【図９】（ａ）は、Ｘ方向の変位が支配的な状況の露光時において、画面の両端近傍に形成される蛍光体ストライプの状態を説明するための説明図であり、（ｂ）は、形成される蛍光体ストライプの一部を画面に垂直な方向からみた概略構造図である。
【符号の説明】
１　露光装置、　２　加熱装置、　３　制御装置、　５０　露光装置、　５１筐体、　５１ａ　開口、　５２　フロントパネル、　５２ａ　係合ピン、　５２ｂ　パネル面、　５２ｃ　スカート部、　５３　光源、　５４　補正レンズ系、　５５　フロントパネル組立体、　５６　黒色無反射層、　５７ａ　青色（Ｂ）の蛍光体ストライプ、　５７ｂ　緑色（Ｇ）の蛍光体ストライプ、　５７ａ　赤色（Ｒ）の蛍光体ストライプ、　６０　色選別電極構体、　６１　アパーチャグリル、　６１ａ　細条グリッド、　６１ｂ　スリット、　６２　フレーム、　６３，６４　弾性枠辺、　６５，６６　弾性腕部、　６７　高膨張プレート、　６８　支持構体、　６９　金属プレート、　６９ａ　高膨張率の金属、　６９ｂ低膨張率の金属６９ｂ、　７０　取付けスプリング、　７０ａ　取付け孔、　７０ｂ　高膨張率の金属、　７０ｃ　低膨張率の金属。
【図１】
2004111062.tif 000003
【図２】
2004111062.tif 000004
【図３】
2004111062.tif 000005
【図４】
2004111062.tif 000006
【図５】
2004111062.tif 000007
【図６】
2004111062.tif 000008
【図７】
2004111062.tif 000009
【図８】
2004111062.tif 000010
【図９】
2004111062.tif 000011